(57)【要約】      （修正有）【課題】製造工程で強度的なバラツキをなくし、ヤング率の高い集成材を提供するもので、従来の集成材が接着剤による積層断面が見えるのに対して、本発明の集成材は、四方柾、四方板目、並びに二方柾等の美しい木理を有する集成材を提供できる。【解決手段】木材の乾燥を促進し均一化するために木材の中心部に貫通した中空孔２を設け、該中空孔を有した木材を乾燥機等で十分に乾燥し、該乾燥木材の中空孔に同一木材または他の木材からなる孔埋め用乾燥堅木にて製作した丸棒材３を接着剤と共に嵌挿し接着一体化して集成材を形成する。【選択図】図８
2006346957.tif 000002
【特許請求の範囲】
【請求項１】
木材の乾燥を促進し均一化するために木材の中心部に貫通した中空孔を設け、
該中空孔を有した木材を乾燥機等で十分に乾燥し、
該中空乾燥木材の中空孔に同一木材または他の木材からなる孔埋め用乾燥木材にて製作した棒材を接着剤と共に嵌挿し接着一体化して集成材を形成すること、
を特徴とした中空木材から成る集成材。
【請求項２】
木材の乾燥を促進し均一化するために木材の中心部に貫通した中空孔を設け、
該中空孔を有した木材を乾燥機等で十分に乾燥し、
該中空乾燥木材の中空孔に同一木材または他の木材からなる孔埋め用乾燥木材にて製作した棒材を接着剤と共に嵌挿し接着一体化して集成材を形成すること、
を特徴とした中空木材から成る集成材の製造方法。
【請求項３】
前記中空乾燥木材の中空孔に嵌挿される穴埋め用木材は中空孔の形状に合わせて丸棒材や角棒材形状に形成し、該丸棒材や角棒材を接着剤と共に中空孔に嵌挿し接着一体化して集成材を形成すること、
を特徴とする請求項１または請求項２の何れかに記載された中空木材から成る集成材。
【請求項４】
前記中空乾燥木材の中空孔に嵌挿される穴埋め用木材は中空孔の形状に合わせた単純な丸棒材形状を有し、該丸棒材の表面は表面加工にて平滑に加工されていること、
を特徴とする請求項１乃至請求項３の何れかに記載された中空木材から成る集成材。
【請求項５】
前記中空乾燥木材の樹種がスギである場合に前記丸棒材の樹種はカシであること、
を特徴とする請求項１乃至請求項４の何れかに記載された中空木材から成る集成材。
【請求項６】
前記中空乾燥木材の樹種がカシである場合に前記丸棒材の樹種はカシであること、
を特徴とする請求項１乃至請求項４の何れかに記載された中空木材からなる集成材。
【請求項７】
前記中空乾燥木材の樹種がスギ、ヒノキ、ツガ、アカマツ、ベイマツ、カシ、ケヤキ等である場合、前記穴埋め用木材となる丸棒材はカシ、ケヤキ、ナラ、トチ、チーク等の堅木にて構成されること、
を特徴とする請求項１乃至請求項４の何れかに記載された中空木材から成る集成材。
【請求項８】
前記中空乾燥木材の中空孔に嵌挿される穴埋め用丸棒材の表面形状はその長手方向に線状突起、または、線状凹部を有しており、該線状突起、線状凹部にて接着剤の導入間隙を形成したこと、
を特徴とする請求項１乃至請求項７の何れかに記載の中空木材から成る集成材。
【請求項９】
前記中空乾燥木材の中空孔に嵌挿される孔埋め用丸棒材の表面形状はその長手方向に螺旋形状の線状突起、または、螺旋形状の線状凹部を有しており、該螺旋形状の線状突起、線状凹部にて接着剤の導入間隙を形成したこと、
を特徴とする請求項１乃至請求項７の何れかに記載の中空木材から成る集成材。
【請求項１０】
前記中空乾燥木材の中空孔内径部に雌ねじを刻設し、該木材の中空孔に嵌挿される丸棒材には雄ねじを刻設してなり、前記中空孔内径部の雌ねじ部に丸棒材の雄ねじを接着剤を導入しながら螺合して中空孔を穴埋めしたこと、
を特徴とする請求項１乃至請求項７の何れかに記載の中空木材から成る集成材。
【請求項１１】
前記中空乾燥木材の中空孔に嵌挿される孔埋め用木材は乾燥されたひき板を何枚も積み重ねて積層接着した積層材からなる中空孔の穴埋め材であること、
を特徴とする請求項１乃至請求項７の何れかに記載された中空木材から成る集成材とその製造方法。
【請求項１２】
木材の乾燥を促進し均一化するために木材の中心部に貫通して設けた中空孔の形状が正角孔、または、平角孔形状の中空孔であり、該正角孔または平角孔の中空孔に嵌挿される穴埋め材は、同一木材または他の木材の乾燥堅木にて製作された集成材からなる正角材、または平角材の集成材であること、
を特徴とする中空木材から成る集成材。
【請求項１３】
前記正角孔並びに平角孔形状の中空孔は製材木取りした木材を組み合わせ接着剤にて接合して集成材を形成し、該集成材の表面を削り前記接着面層が現れた部分には見かけ上の背割り溝を刻設して木材化粧面の意匠とすること、
を特徴とする請求項１２記載の中空木材から成る集成材。
【発明の詳細な説明】
【技術分野】
【０００１】
本発明は、中空乾燥木材を利用して製作される集成材に関するものであり、特に本発明は製造工程で強度的なバラツキをなくし、ヤング率の高い集成材を提供し、該集成材は従来の集成材が接着剤による積層断面が見えるのに対して、本発明の集成材は、四方柾、四方板目、並びに二方柾等の美しい木理を有する集成材とその製造方法を提供するものである。
【背景技術】
【０００２】
建築用木材の中心軸に沿って木材を中空にくり抜き人工的に乾燥させる技術として特許文献１（特許第３６０２９２１号公報）が開示されている。中空乾燥木材の特色としては集成材に比べて生産工程が簡単で設備が安価であることや、短時間で木材を気乾状態に乾燥して強度特性にバラツキのない木材を得ることができ、更に四方柾、四方板目、並びに二方柾等の美しい木理を有していることから、天然木の良さをアピールできる高品質の建築用材であることがあげられる。
【０００３】
然しながら、中空乾燥木材は人工的な乾燥工程に入る前に木材を中空にくり抜き、木材の表面及び内部を均一に乾燥させてひび割れを防ぎ、気乾状態までの乾燥時間を短縮するものであるから、木材の中心部に中空孔が存在し、同一外径を有した気乾状態の木材に比較して断面積が小さくその分だけ強度が弱いという欠点が生じる。
【０００４】
特に、四方板目の中空乾燥木材においては、木材の細胞壁密度の高い心材をくり抜いてしまうことから上記無垢材との強度比較は歴然としたものがある。
【０００５】
また、一般的に木材を補強するという考えかたで、特許文献２（特開２００５−２３７２４号公報）には、間伐材等の芯をくり抜き中空部に鋼管を補強材として鋼管を挿入するものや、合成樹脂パイプを挿入するもの、或いは金網、ガラス繊維を筒状に偏成した補強材を中空部に挿入しエポキシ樹脂等を注入して遠心力で樹脂を中空部内壁に付着させ硬化するもの、或いは木材の中空部に繊維強化合成樹脂のパイプを形成する複合木材が開示されている。
【０００６】
而して、上記特許文献２に開示された補強方法は、金属製の道路防護柵を天然木の外観を有するものに改修する複合木材を提供するものであって、該複合木材は木造建築の木軸用材として用いられる木材としては、甚だ都合の悪いものである。
【０００７】
即ち、木造建築用の木材としては、木材の接合部加工が常に伴い、該加工方法は大工職方が接合部に位置を墨付けし、大切に管理されたノコギリやノミで穴を開けたりホゾを作ったりしており、また、最近ではプレカットによる高価な自動加工機による加工がなされており、木材の中に鋼材や、合成樹脂パイプ、金網、ガラス繊維等が内蔵されていることは、道具や加工機を損傷することになり、単なる強度補強のために中空乾燥木材の中空部に金属やプラスチック等のいわゆる工業材料を複合して用いることはできない。
【特許文献１】特許第３６０２９２１号公報
【特許文献２】特開２００５−２３７２４号公報
【発明の開示】
【発明が解決しようとする課題】
【０００８】
而して、本発明は、中空乾燥木材を利用した新規な集成材を提供し、また、その製造方法を提供するものである。
【０００９】
また、本発明は、製造工程で強度的なバラツキをなくし、ヤング率の高い集成材を提供することを可能とするものであり、また、該本発明の集成材では、従来の集成材が接着剤による積層断面が見えるのに対して、四方柾、四方板目、並びに二方柾等の美しい木理を有する集成材を提供するものである。
【００１０】
また、本発明は、金属、プラスチック等の工業材料を用いる複合木材ではなく、木材と接着剤の組み合わせによる集成材の構成であり、該集成材は接合部や仕口加工に際して大工道具やプレカットの加工機を損傷せしめる事がない。
【課題を解決するための手段】
【００１１】
本発明は、木材の乾燥を促進し均一化するために木材の中心部に貫通した中空孔を設け、該中空孔を有した木材を乾燥機等で十分に乾燥し、該中空乾燥木材の中空孔に同一木材または他の木材からなる孔埋め用乾燥木材にて製作した棒材を接着剤と共に嵌挿し接着一体化して集成材を形成することを要旨とする。
【００１２】
本発明は、木材の乾燥を促進し均一化するために木材の中心部に貫通した中空孔を設け、該中空孔を有した木材を乾燥機等で十分に乾燥し、該中空乾燥木材の中空孔に同一木材または他の木材からなる孔埋め用乾燥木材にて製作した棒材を接着剤と共に嵌挿し接着一体化して集成材を形成する中空木材から成る集成材の製造方法を要旨とする。
【００１３】
また、本発明において、中空乾燥木材の中空孔に嵌挿される穴埋め用木材は、中空孔の形状に合わせて丸棒材や角棒材形状に形成し、該丸棒材や角棒材を接着剤と共に中空孔に嵌挿し接着一体化して集成材を形成することを要旨とする。
【００１４】
また、本発明において、中空乾燥木材の中空孔に嵌挿される穴埋め用木材は、中空孔の形状に合わせた単純な丸棒材形状を有し、該丸棒材の表面は表面加工にて平滑に加工されていることを要旨とする。
【００１５】
また、本発明は、中空乾燥木材の樹種がスギである場合に前記丸棒材の樹種はカシであることを要旨とする。
【００１６】
また、本発明は、中空乾燥木材の樹種がカシである場合に前記丸棒材の樹種はカシであることを要旨とする。
【００１７】
また、本発明は、中空乾燥木材の樹種がスギ、ヒノキ、ツガ、アカマツ、ベイマツ、カシ、ケヤキ等である場合、前記穴埋め用木材となる丸棒材はカシ、ケヤキ、ナラ、トチ、チーク等の堅木にて構成されることを要旨とする。
【００１８】
また、本発明において、中空乾燥木材の中空孔に嵌挿される穴埋め用丸棒材の表面形状は、その長手方向に線状突起、または、線状凹部を有しており、該線状突起、線状凹部にて接着剤の導入間隙を形成したことを要旨とする。
【００１９】
また、本発明において、中空乾燥木材の中空孔に嵌挿される孔埋め用丸棒材の表面形状は、その長手方向に螺旋形状の線状突起、または、螺旋形状の線状凹部を有しており、該螺旋形状の線状突起、線状凹部にて接着剤の導入間隙を形成したことを要旨とする。
【００２０】
また、本発明は、中空乾燥木材の中空孔内径部に雌ねじを刻設し、該木材の中空孔に嵌挿される丸棒材には雄ねじを刻設してなり、前記中空孔内径部の雌ねじ部に丸棒材の雄ねじを接着剤を導入しながら螺合して中空孔を穴埋めしたことを要旨とする。
【００２１】
また、本発明において、中空乾燥木材の中空孔に嵌挿される孔埋め用木材は、乾燥されたひき板を何枚も積み重ねて積層接着した積層材からなる中空孔の穴埋め材であることを要旨とする。
【００２２】
また、本発明は、中空乾燥木材の乾燥を促進し均一化するために木材の中心部に貫通して設けた中空孔の形状が正角孔、または、平角孔形状の中空孔であり、該正角孔または平角孔の中空孔に嵌挿される穴埋め材は、同一木材または他の木材の乾燥堅木にて製作された集成材からなる正角材、または平角材の集成材であることをを要旨とする。
【００２３】
更にまた、本発明において、正角孔並びに平角孔形状の中空孔は、製材木取りした木材を組み合わせ接着剤にて接合して集成材を形成し、該集成材の表面を削り前記接着面層が現れた部分には見かけ上の背割り溝を刻設して木材化粧面の意匠とすることを要旨とする。
【発明の効果】
【００２４】
而して、本発明は、中空乾燥木材を利用した新規な集成材とその製造方法を提供することができ、該中空乾燥木材から成る集積材は、製造工程で強度的なバラツキをなくし、従来の中空乾燥木材に比較して、ヤング率の高い集成材を提供することができた。
【００２５】
また、本発明において、従来の集成材が接着剤による接着面を積層断面として見せてしまうのに対して、本発明の集成材は、四方柾、四方板目、並びに二方柾等の美しい化粧面の木理を有する集成材を提供することができた。
【００２６】
また、本発明は、金属、プラスチック等の工業材料を用いる複合木材ではなく、木材と木材を接着剤で組み合わせた集成材の構成であり、該集成材は接合部や仕口加工に際して大工道具やプレカットの加工機を損傷せしめる事がない集成材を提供することができた。
【発明を実施するための最良の形態】
【００２７】
本発明は、木材の乾燥を促進し均一化するために木材の中心部に貫通した中空孔を設け、該中空孔を有した木材を乾燥機等で十分に乾燥し、該中空乾燥木材の中空孔に同一木材または他の木材からなる孔埋め用乾燥木材にて製作した棒材を接着剤と共に嵌挿し接着一体化して集成材を形成することが好ましい。
【００２８】
本発明は、木材の乾燥を促進し均一化するために木材の中心部に貫通した中空孔を設け、該中空孔を有した木材を乾燥機等で十分に乾燥し、該中空乾燥木材の中空孔に同一木材または他の木材からなる孔埋め用乾燥木材にて製作した棒材を接着剤と共に嵌挿し接着一体化して集成材を形成する中空木材から成る集成材の製造方法であることが好ましい。
【００２９】
また、本発明において、中空乾燥木材の中空孔に嵌挿される穴埋め用木材は、中空孔の形状に合わせて丸棒材や角棒材形状に形成し、該丸棒材や角棒材を接着剤と共に中空孔に嵌挿し接着一体化して集成材を形成することが好ましい。
【００３０】
また、本発明において、中空乾燥木材の中空孔に嵌挿される穴埋め用木材は、中空孔の形状に合わせた単純な丸棒材形状を有し、該丸棒材の表面は表面加工にて平滑に加工されていることが好ましい。
【００３１】
また、本発明は、中空乾燥木材の樹種がスギである場合に前記丸棒材の樹種はカシであることが好ましい。
【００３２】
また、本発明は、中空乾燥木材の樹種がカシである場合に前記丸棒材の樹種はカシであることが好ましい。
【００３３】
また、本発明は、中空乾燥木材の樹種がスギ、ヒノキ、ツガ、アカマツ、ベイマツ、カシ、ケヤキ等である場合、前記中空孔の穴埋め用木材となる丸棒材は、カシ、ケヤキ、ナラ、トチ、チーク等の堅木にて構成されることが好ましい。
【００３４】
また、本発明において、中空乾燥木材の中空孔に嵌挿される穴埋め用丸棒材の表面形状は、その長手方向に線状突起、または、線状凹部を有しており、該線状突起、線状凹部にて接着剤の導入間隙を形成することが好ましい。
【００３５】
また、本発明において、中空乾燥木材の中空孔に嵌挿される孔埋め用丸棒材の表面形状は、その長手方向に螺旋形状の線状突起、または、螺旋形状の線状凹部を有しており、該螺旋形状の線状突起、線状凹部にて接着剤の導入間隙を形成することが好ましい。
【００３６】
また、本発明は、中空乾燥木材の中空孔内径部に雌ねじを刻設し、該木材の中空孔に嵌挿される丸棒材には雄ねじを刻設してなり、前記中空孔内径部の雌ねじ部に丸棒材の雄ねじを接着剤を導入しながら螺合して中空孔を穴埋めすることが好ましい。
【００３７】
また、本発明において、中空乾燥木材の中空孔に嵌挿される孔埋め用木材は、乾燥されたひき板を何枚も積み重ねて積層接着した積層材からなる中空孔の穴埋め材であることが好ましい。
【００３８】
また、本発明は、中空乾燥木材の乾燥を促進し均一化するために木材の中心部に貫通して設けた中空孔の形状が正角孔、または、平角孔形状の中空孔であり、該正角孔または平角孔の中空孔に嵌挿される穴埋め材は、同一木材または他の木材の乾燥堅木にて製作された集成材からなる正角材、または平角材の集成材であることが好ましい。
【００３９】
更にまた、本発明において、正角孔並びに平角孔形状の中空孔は、製材木取りした木材を組み合わせ接着剤にて接合して集成材を形成し、該集成材の表面を削り前記接着面層が現れた部分には見かけ上の背割り溝を刻設することが好ましい。
【実施例１】
【００４０】
斯くして、本発明の実施例１を、図１乃至図３に基づき説明する。図１は、本発明において使用する中空乾燥木材の形状を示す斜視説明図、図２は実施例１の製造工程を示す斜視説明図、図３（a）は実施例１に使用される穴埋め用木材の形状を示す説明図、図３（ｂ）は実施例１の集成材を説明する木口部側面図である。
【００４１】
図１乃至図３において、１は中空乾燥木材、２は中空乾燥木材１の略中心部に穿設された中空孔であり、前記中空乾燥木材１は、丸太を挽いて四方板目の木理を有する木材や、大型の木材を挽いて四方柾や、二方柾の木理を有する材木を切り出し、該材木の長手軸方向中心部に中空孔２をなか繰り貫通して設け、該中空孔２を有する木材を、前記特許文献１にて開示した中空木材の乾燥機等に入れて短時間で木材を気乾状態に乾燥して強度特性にバラツキのない中空乾燥木材１を得る。
【００４２】
そして、図２に示す如く、前記中空乾燥木材１の中空孔２には、同一木材または他の木材からなる孔埋め用乾燥堅木にて製作した丸棒材３を接着剤４と共に嵌挿し接着一体化して集成材を形成する。
【００４３】
また、中空乾燥木材１に正角孔、平角孔を穿設して、該正角孔、平角孔に角棒材を嵌挿することも本発明の要旨であるが、該実施例は後述する。
【００４４】
而して、図３（a）は、前記中空孔２の孔埋め用乾燥堅木となる丸棒材３の形状例を示すもので、該中空孔２に嵌挿される丸棒材３の表面形状は、平滑に加工された真円に近い丸棒材３であり、一例として図３（ｂ）に示す四方板目Ａの製材木取りＡを有した中空乾燥木材１の中空孔２に嵌挿され、該丸棒材３は前記中空孔２に丸棒材３が嵌挿され形成する非常に狭い接着剤導入間隙４に導入された接着剤５にて強固に接着され一体化した集成材６が提供される。
【００４５】
また、前記中空乾燥木材１には、通常、含水量の比較的多い針葉樹材であるスギ、ヒノキ等が使用され、該スギ、ヒノキ等の木材は、中空乾燥により、気乾状態に乾燥して強度特性にバラツキのない中空乾燥木材１となる。
【００４６】
従って、中空孔２の孔埋め用木材となる丸棒材３は、スギ、ヒノキ等中空乾燥木材１と同一の乾燥材を使用しも良いが、前記丸棒材３は、多分にも集成材としての強度アップが目的となるので、広葉樹材のカシ、ケヤキ等の堅木の乾燥木材の使用が好ましいし、中空乾燥木材１の使用コストにゆとりのある場合には、所謂、カシ、ケヤキ等の堅木の中空乾燥木材１にカシ、ケヤキ等の堅木の丸棒材３を中空孔２の穴埋め用木材として使用することが、ベストである。
【００４７】
斯くして、本発明の実施例１は、木材の乾燥を促進し均一化するために木材の中心部に貫通して設けた中空孔２、該中空孔２を有した木材を乾燥機等で十分に乾燥して中空乾燥木材１を形成し、該中空乾燥木材１の中空孔２に同一木材または他の木材からなる孔埋め用乾燥木材にて製作した棒材３を接着剤５と共に嵌挿し接着一体化して集成材を形成することを特徴とする中空木材から成る集成材とその製造方法を提供した。
【００４８】
また、実施例１において、中空乾燥木材１の中空孔に嵌挿される穴埋め用木材は、中空孔２の形状に合わせて丸棒材３を形成し、該丸棒材３を接着剤５と共に中空孔２に嵌挿し接着一体化して集成材６を形成する。
【００４９】
また、実施例１において、中空乾燥木材１の中空孔２に嵌挿される穴埋め用木材は中空孔の形状に合わせた単純な丸棒材３形状を有し、該丸棒材３の表面は表面加工にて平滑に加工されている。
【００５０】
また、実施例１においては、一例として、中空乾燥木材１の樹種がスギである場合に前記丸棒材３の樹種はカシであることを提案している。
同様に、中空乾燥木材１の樹種がカシである場合には、前記丸棒材３の樹種はカシであることを提案している。
【００５１】
更にまた、実施例１は、中空乾燥木材１の樹種がスギ、ヒノキ、ツガ、アカマツ、ベイマツ、カシ、ケヤキ等である場合、前記穴埋め用木材となる丸棒材３はカシ、ケヤキ、ナラ、トチ、チーク等の堅木にて構成されることが良いことを提案している。
【００５２】
而して、本発明の実施例１は、中空乾燥木材１を利用した新規な集成材６とその製造方法を提供することができ、該中空乾燥木材１から成る集積材６は、製造工程で強度的なバラツキをなくし、従来の中空乾燥木材１に比較して、該中空孔２を孔埋め補強して、ヤング率の高い集成材６を提供することができた。
【００５３】
また、本発明の実施例１の構成は、従来の集成材が接着剤５の接着面を積層断面として見せてしまうのに対して、本発明の集成材６は、四方板目Ａ（図３（ｂ）は四方板目を例に説明）、四方柾Ｂ、並びに二方柾Ｃ等の美しい木理を表面化粧として有する集成材６を提供することができた。
【００５４】
更に、本発明の実施例１における集成材６は、金属、プラスチック等の工業材料を芯材として用いる複合木材ではなく、木材と接着剤の組み合わせによる集成材の構成であり、該集成材７は接合部や仕口加工に際して、大工道具やプレカットの加工機を損傷せしめる事がない集成材６を提供することができた。
【実施例２】
【００５５】
図４（a）、（ｂ）は、本発明の実施例２の説明図である。図４（a）は、前記中空孔２の孔埋め用乾燥堅木となる丸棒材３の形状例を示すもので、該中空孔２に嵌挿される丸棒材３の表面形状は、その長手方向に線状突起４a、７ｂ、７ｃ・・・が設けられており、該線状突起７a、７ｂ、７ｃ・・・が、一例として図４（ｂ）に示す四方板目Ａの製材木取りをした中空乾燥木材１に穿設された中空孔２に嵌挿されると接着剤５の導入間隙４a、４ｂ、４ｃ・・・が形成され強固に接着され一体化した集成材６が提供される。
【実施例３】
【００５６】
図５（a）、（ｂ）は、本発明の実施例３を説明するもので、図５(a）は中空乾燥木材１の孔埋め用丸棒材の形状説明図、図５（ｂ）は実施例３の集成材６を説明する木口側面図である。
【００５７】
図５において、図１乃至図４と同一符号は同一構成要素を示しており、３は丸棒材、８a、８ｂ、８ｃ・・・は前記丸棒材３の長手軸方向に刻設された線状凹部であり、該線状凹部８a、８ｂ、８ｃ・・・が、一例として図５（ｂ）に示す四方柾Ｂの製材木取りをした中空乾燥木材１に穿設された中空孔２に嵌挿されると接着剤４の導入間隙４a、４ｂ、４ｃ・・・が形成され強固に接着され一体化した集成材６が提供される。
【実施例４】
【００５８】
図６（a）、（ｂ）は、本発明の実施例４を説明するもので、図６(a）は中空乾燥木材１の孔埋め用丸棒材３の形状説明図、図６（ｂ）は実施例４の集成材６を説明する木口側面図である。
【００５９】
図６において、図１乃至図５と同一符号は同一構成要素を示しており、３は丸棒材であり、該丸棒材３の円周部には長手方向に螺旋形状の線状突起９a、９ｂ、９ｃ、・・・が連続して刻設されており、該螺旋形状の線状突起９a、９ｂ、９ｃ・・・が、一例として図６（ｂ）に示す二方柾Ｃの製材木取りをした中空乾燥木材１に穿設された中空孔２に嵌挿されると接着剤５の導入間隙４が形成され該部分は表面積が大きく接着剤が均等に行きわたるので強固に接着され一体化した集成材６が提供される。
【００６０】
また、実施例４では、前記螺旋形状の線状突起９a、９ｂ、９ｃ・・・に代わり螺旋形状の線状凹部形状物を刻設することでも、同様の効果を得ることができる。
【実施例５】
【００６１】
図７は、本発明の実施例５を説明するもので、図７は中空乾燥木材１の孔埋め用丸棒材３を螺合により嵌挿している状態を示している。  
図７において、図１乃至図６と同一符号は同一構成要素を示しており、１は中空乾燥木材、２は該中空乾燥木材に穿設された中空孔、３は中空孔２を孔埋めするための丸棒材である。
【００６２】
而して、実施例５においては、前記中空乾燥木材１の中空孔２内径部に雌ねじ１０を刻設し、該中空乾燥木材１の中空孔２に嵌挿される丸棒材３には雄ねじ１１を刻設しており、前記中空孔２内径部の雌ねじ部１０に丸棒材３の雄ねじ１１を接着剤５を導入しながら螺合して中空孔２を穴埋めすることで中空乾燥木材１から成る集成材６を提供した。
【実施例６】
【００６３】
図８、並びに図９は、本発明の実施例６を説明するものであり、図８は、木口側面図であり、図９は、中空木材１a、１ｂ、１ｃ、１ｄを接着剤５にて積層し大梁１４を形成する状態を示す斜視説明図である。
【００６４】
図８、並びに図９において、図１乃至図７と同一符号は同一構成要素を示しており、１は中空乾燥木材、２は該中空乾燥木材に穿設された中空孔、３は中空孔２を孔埋めするための集成材棒から成る丸棒材３である。
【００６５】
本発明の実施例６において、中空乾燥木材１の中空孔２に嵌挿される丸棒材３は、乾燥されたひき板１２a、１２ｂ、１２ｃ、１２ｄ、１２e、１２ｆを何枚も積み重ねて積層接着した積層材棒からなる中空孔２の穴埋め用木材１３であり、該穴埋め用木材１３を接着剤５を導入しながら嵌挿して中空乾燥木材１と一体化することで、中空乾燥木材１から成る集成材６とその製造方法を提供した。
また、図９は、前記製造工程にて製作された中空乾燥木材１a、１ｂ、１ｃ、１ｄを接着剤５にて積層し大梁１４を形成した。
【００６６】
而して、大梁１４は、積層集積材であることから、各、中空乾燥木材１a、１ｂ、１ｃ、１ｄの接着面層１５a、１５ｂ、１５ｃ、が大梁１４の側面に現れるので、該部分に見かけ上の背割り溝１６a、１６ｂ、１６ｃを刻設することにより意匠性を向上させた。
【実施例７】
【００６７】
図１０、並びに図１１は、本発明の実施例７を説明するものであり、図９は、正角材形状集成材を説明する木口側面図であり、図１０は、平角材形状の集成材を説明する斜視図である。
【００６８】
図１０は、丸太よりフリッチ材１７a、１７ｂ、１７ｃ、１７ｄを挽いて中心部に正角孔１８を有した集成材１９を製造し、該集成材１９の正角孔１８に集成材から成る穴埋め用木材２０を接着剤５と共に嵌挿し、比較的大きな断面形状を有する正角材２１を製作している。
【００６９】
また、図１１は、丸太よりフリッチ材１７a、１７ｂ、１７ｃ、１７ｄを挽いて中心部に平角孔２２を有した集成材２３を製造し、該集成材２３の平角孔２２に集成材から成る穴埋め用木材２０を接着剤５と共に嵌挿し、比較的大きな断面形状を有する平角材２４を製作している。
【００７０】
而して、実施例７は、木材の乾燥を促進し均一化するために木材の中心部に貫通して設けた中空孔の形状が正角孔１８、または、平角孔形状の平角孔２２であり、該正角孔１８または平角孔２２の中空孔に嵌挿される穴埋め用木材２０は、同一木材または他の木材の乾燥堅木にて製作された集成材からなる正角材、または平角材の集成材である中空木材から成る集成材を提供している。
【００７１】
また、前記正角孔１８並びに平角孔２２の中空孔は製材木取りした木材を組み合わせ接着剤にて接合して集成材を形成し、該集成材の表面を削り前記接着面層が現れた部分には見かけ上の背割り溝１６a、１６ｂ、１６ｃ・・・を刻設して中空乾燥木材化粧面の意匠とする中空木材から成る集成材である。
【産業上の利用可能性】
【００７２】
斯くして、本発明においては、中空乾燥木材を利用して製作される集成材を提供するものであり、特に本発明は、製造工程で強度的なバラツキをなくし、ヤング率の高い集成材を提供し、該集成材は、従来の集成材が接着剤による積層断面が見えるのに対して、本発明の集成材は、四方柾、四方板目、並びに二方柾等の美しい木理を有する集成材を提供するものであり、産業上利用の可能性は頗る大きい。
【図面の簡単な説明】
【００７３】
【図１】本発明において使用する中空木材の形状を示す斜視説明図である。
【図２】実施例１の製造工程を示す斜視説明図である。
【図３】実施例１の集成材形状説明図である。
【図４】実施例２の集成材形状説明図である。
【図５】実施例３の集成材形状説明図である。
【図６】実施例４の構成説明図である。
【図７】実施例５の説明図である。
【図８】実施例６の説明図である。
【図９】実施例６の構成説明図である。
【図１０】実施例７の構成説明図である。
【図１１】実施例７の構成説明図である。
【符号の説明】
【００７４】
１、１a、１ｂ、１ｃ・・・  中空乾燥木材
２  中空孔
３  丸棒材
４、４a、４ｂ、４ｃ・・・  接着剤導入間隙
５  接着剤
６  集成材
７a、７ｂ、７ｃ・・・  線状突起
８a、８ｂ、８ｃ・・・  線状凹部
９ａ、９ｂ、９ｃ・・・  螺旋形状の線状突起
１０  雌ネジ  
１１  雄ネジ  
１２a、１２ｂ、１２ｃ・・・  ひき板  
１３  孔埋め用木材
１４  大梁
１５a、１５ｂ、１５ｃ・・・  接着面
１６a、１６ｂ、１６ｃ・・・  見かけ上の背割り溝
１７a、１７ｂ、１７ｃ・・・  フリッチ材
１８  正角孔
１９  集成材
２０  孔埋め用木材
２１  正角材
２２  平角孔
２３  集成材
２４  平角材
Ａ  四方板目
Ｂ  四方柾
Ｃ  二方柾
【図１】
2006346957.tif 000003
【図２】
2006346957.tif 000004
【図３】
2006346957.tif 000005
【図４】
2006346957.tif 000006
【図５】
2006346957.tif 000007
【図６】
2006346957.tif 000008
【図７】
2006346957.tif 000009
【図８】
2006346957.tif 000010
【図９】
2006346957.tif 000011
【図１０】
2006346957.tif 000012
【図１１】
2006346957.tif 000013